(57)【要約】【課題】受信機側で大幅な変更をすることなく、ノイズによる通信障害を回避して受信機と携帯機との間の無線通信に基づく機器の制御が正常に行われるようにすること。【解決手段】受信機１３は、受信した電波に含まれる信号の強度を測定するＲＳＳＩ回路と、特定周波数帯内において所定の中心周波数を中心とする周波数帯域を減衰させるトラップフィルタと、その中心周波数を所定のタイミングで調整し、減衰帯域を周期的に切り替える装置側マイコン１１とを備えている。ＲＳＳＩ回路は、特定周波数帯内で受信され、信号の受信の妨げとなるノイズの強度をトラップフィルタの減衰帯域の切り替え毎に測定する。装置側マイコン１１により、ＲＳＳＩ回路により測定されたノイズの強度が最小となる中心周波数にトラップフィルタの中心周波数が固定される。【選択図】図１
2009033528.tif 000002
【特許請求の範囲】
【請求項１】
特定周波数帯の周波数の電波を受信可能とされ、対象物のユーザにより所持される携帯機から該対象物に設けられた機器を制御するための信号を含む電波を受信する受信機において、
受信した電波に含まれる信号の強度を測定する信号強度測定手段と、
前記特定周波数帯内において所定の中心周波数を中心とする周波数帯域を減衰させるトラップフィルタと、
前記トラップフィルタの中心周波数を所定のタイミングで調整することで、前記トラップフィルタによる減衰帯域を周期的に切り替えるトラップフィルタ切替手段とを備え、
前記信号強度測定手段は、前記特定周波数帯内で受信され、前記信号の受信の妨げとなるノイズの強度を前記トラップフィルタの減衰帯域の切り替え毎に測定し、
前記トラップフィルタ切替手段は、前記ノイズの強度が最小となる中心周波数に前記トラップフィルタの中心周波数を固定するようにしたことを特徴とする受信機。
【請求項２】
請求項１に記載の受信機と、該受信機に前記対象物に設けられた機器を制御するための信号を所定の送信周波数の電波で送信する携帯機と、該携帯機から送信された電波を前記受信機を介して受信し、該受信した電波に含まれる信号に基づいて前記対象物に設けられた機器を制御する通信制御装置とを具備することを特徴とする通信制御システム。
【請求項３】
請求項２に記載の通信制御システムにおいて、
前記通信制御装置は、前記携帯機の送信周波数を前記固定されたトラップフィルタによる減衰帯域を外れる送信周波数に設定するための送信周波数設定信号を作成するとともに、該送信周波数設定信号を前記携帯機に送信するようにされ、
前記携帯機には、前記送信周波数設定信号に基づいて前記信号を送信する電波の送信周波数を設定する送信周波数設定手段が設けられていることを特徴とする通信制御システム。
【発明の詳細な説明】
【技術分野】
【０００１】
本発明は、対象物のユーザにより所持される携帯機と該対象物に設けられた機器を制御するために無線通信を行う受信機、及びその携帯機と受信機とを備えてなる通信制御システムに関する。
【背景技術】
【０００２】
近年、自動車等の車両（対象物）においては、そのセキュリティレベル（安全性）のさらなる改善とともに車両のユーザの利便性の向上が強く求められている。このため、従来、ユーザが所持する携帯機（電子キー）と車両に設けられた通信制御装置（車載装置）との間で双方向の無線通信を行い、該無線通信が成立したことを条件としてドア錠の施解錠操作を自動的に行ったり、エンジンの始動を可能としたりする通信制御システム（電子キーシステム）が提案されている。
【０００３】
詳しくは、前記通信制御装置は、該装置に設けられた装置側送信回路（装置側送信手段）により、予め設定されたリクエスト信号（電波）を車両周辺や車両室内に送信してリクエスト信号の送信エリアを形成する。そして、その送信エリアに前記携帯機が進入すると、該携帯機に設けられた携帯機側受信回路（携帯機側受信手段）によってリクエスト信号を受信するとともに、そのリクエスト信号に応答し、該携帯機に設けられた携帯機側マイコンのメモリに記憶されたＩＤコードを含む信号（電波）を携帯機側送信回路（携帯機側送信手段）によって通信制御装置に送信する。
【０００４】
そして、前記通信制御装置は、このＩＤコードを含む信号を該装置に設けられた受信機（装置側受信手段）を介して受信すると、該通信制御装置に設けられた装置側マイコンがそのメモリに記憶されたＩＤコードと前記信号に含まれるＩＤコードとの照合を行い、それらＩＤコード同士が一致したことを条件として携帯機との無線通信が成立したものとし、車両のドア錠を施解錠可能な状態としたり、エンジンを始動可能な状態とする車両制御を行う。
【０００５】
即ち、前記携帯機と通信制御装置との間で自動的に双方向の無線通信が行われ、該無線通信の成立を前提として車両制御が行われる。このため、ユーザは、メカニカル鍵等を用いた手動操作によることなく前記通信制御装置を用いて車両を遠隔で自動制御することができて利便性が向上し、しかも電磁的なＩＤ照合が車両制御の開始要件となるため、車両のセキュリティレベルが高められる。
【０００６】
ところで、こうした通信制御システムでは、車両の周辺環境に携帯機と通信制御装置との通信を妨害するノイズ（電波）が存在すると、通信障害が発生し、前記した車両制御が正常に行えなくなる。具体的には、前記携帯機から送信されるＩＤコードを含む電波の周波数ｆｉとほぼ同じ周波数ｆｎ（ｆｎ≒ｆｉ）のノイズが車両（通信制御装置）の周辺環境に存在する場合、該ノイズと携帯機からのＩＤコードを含む信号とが混信し、本来受信すべき当該信号の受信レベル（選択比）が低下してしまう。
【０００７】
このようにノイズと携帯機からの本来受信すべき信号とが混信した場合、例えば、特許文献１開示の技術によれば、装置側マイコンにより制御が行われ、受信機が受信する周波数を複数のチャンネルに対応づけて数１００ｋＨｚ〜数１０ＭＨｚ単位で変更するとともに、該変更後の周波数の電波を携帯機から送信させるべく、チャンネルコード（周波数指令コード）を含む周波数指令信号を送信する。そして、この周波数指令信号を携帯機側受信回路が受信することで、携帯機側マイコンにより制御が行なわれ、携帯機側送信回路から送信する電波の周波数が前記チャンネルコードに対応する周波数に設定され、前記無線通信を介して車両制御が正常に行われるようにされている。
【特許文献１】特開２００７−１４２８８６号公報
【発明の開示】
【発明が解決しようとする課題】
【０００８】
しかしながら、この技術によれば、車両に設けられた受信機側で複数のチャンネルに対応づけて受信周波数を変更するために、局部発振回路の追加や、携帯機と受信機との間での送受信周波数の同期制御の新設など、大幅な変更が必要となる。
【０００９】
本発明は、上記問題点を解決するためになされたものであって、その目的は、対象物に設けられた機器を制御するために対象物のユーザにより所持される携帯機と無線通信を行う受信機において、当該受信機側で大幅な変更をすることなく、ノイズによる通信障害を有効に回避して当該無線通信に基づく機器の制御が正常に行われる受信機、及び、その受信機及び携帯機を備えた通信制御システムを提供することにある。
【課題を解決するための手段】
【００１０】
上記問題点を解決するために、請求項１に記載の発明は、特定周波数帯の周波数の電波を受信可能とされ、対象物のユーザにより所持される携帯機から該対象物に設けられた機器を制御するための信号を含む電波を受信する受信機において、受信した電波に含まれる信号の強度を測定する信号強度測定手段と、前記特定周波数帯内において所定の中心周波数を中心とする周波数帯域を減衰させるトラップフィルタと、前記トラップフィルタの中心周波数を所定のタイミングで調整することで、前記トラップフィルタによる減衰帯域を周期的に切り替えるトラップフィルタ切替手段とを備え、前記信号強度測定手段は、前記特定周波数帯内で受信され、前記信号の受信の妨げとなるノイズの強度を前記トラップフィルタの減衰帯域の切り替え毎に測定し、前記トラップフィルタ切替手段は、前記ノイズの強度が最小となる中心周波数に前記トラップフィルタの中心周波数を固定するようにしたこと、を要旨とする。
【００１１】
同構成によれば、携帯機と受信機との間の無線通信を妨害するノイズが特定周波数帯に存在する場合において、該特定周波数帯内において所定の中心周波数を中心とする周波数帯域を減衰させるトラップフィルタを用い、その中心周波数を所定のタイミングで調整することで、トラップフィルタによる減衰帯域を周期的に切り替え、これにより当該ノイズの強度が最小になる中心周波数を特定し、当該中心周波数にトラップフィルタの中心周波数を固定する。このため、受信機側で大幅な変更をすることなく、ノイズの強度が選択的且つ自動的に減衰されるようになる。
【００１２】
請求項２に記載の発明は、請求項１に記載の受信機と、該受信機に前記対象物に設けられた機器を制御するための信号を所定の送信周波数の電波で送信する携帯機と、該携帯機から送信された電波を前記受信機を介して受信し、該受信した電波に含まれる信号に基づいて前記対象物に設けられた機器を制御する通信制御装置とを具備する通信制御システム、を要旨とする。
【００１３】
同構成によれば、携帯機と受信機との間で行われる無線通信に基づいて、対象物に設けられた機器を制御する通信制御システムにおいて、受信機側で大幅な変更をすることなく、ノイズの強度が選択的且つ自動的に減衰され、当該機器の制御が正常に行われるようになる。
【００１４】
請求項３に記載の発明は、請求項２に記載の通信制御システムにおいて、前記通信制御装置は、前記携帯機の送信周波数を前記固定されたトラップフィルタによる減衰帯域を外れる送信周波数に設定するための送信周波数設定信号を作成するとともに、該送信周波数設定信号を前記携帯機に送信するようにされ、前記携帯機には、前記送信周波数設定信号に基づいて前記信号を送信する電波の送信周波数を設定する送信周波数設定手段が設けられていること、を要旨とする。
【００１５】
同構成によれば、トラップフィルタによる減衰帯域を外れる送信周波数に設定するための送信周波数設定信号が通信制御装置から携帯機に送信され、携帯機側では、その送信周波数設定信号に基づいて設定された送信周波数で信号が送信される。このため、特定周波数帯に存在するノイズによる通信障害がさらに効果的に回避され、受信機側で信号がより確実に受信されるようになる。
【発明の効果】
【００１６】
本発明によれば、対象物に設けられた機器を制御するために対象物のユーザにより所持される携帯機と無線通信を行う受信機において、当該受信機側で大幅な変更をすることなく、ノイズによる通信障害を有効に回避して当該無線通信に基づく機器の制御が正常に行われるようになる。
【発明を実施するための最良の形態】
【００１７】
以下、本発明を具体化した実施形態について図面に従って説明する。
図１及び図２に示すように、本実施形態の車両用通信制御システム３０は、車両１内に配設された通信制御装置１０と、該通信制御装置１０に制御可能に接続された受信機１３と、前記車両１のユーザによって所持され、前記受信機１３を介して通信制御装置１０と双方向に無線通信可能な携帯機２０とを備えている。
【００１８】
＜通信制御装置１０及び受信機１３の構成と動作＞
図１に示すように、前記通信制御装置１０は、ＣＰＵ、ＲＯＭ、ＲＡＭ等から構成された装置側マイコン（装置側マイクロコンピュータ）１１と、該マイコン１１によって制御可能に接続された装置側送信手段としての装置側送信回路１２とを備えている。尚、該マイコン１１は不揮発性のメモリ１１ａを備えており、該メモリ１１ａには、車両１に固有のリクエストコード及びＩＤコードが記憶されている。
【００１９】
前記装置側送信回路１２は、所定の周波数帯域（ここではＬＦ帯の１３４ｋＨｚ）の電波を送信可能に構成されている。この装置側送信回路１２は、装置側マイコン１１から前記リクエストコードを含むリクエスト信号（送信要求信号）が入力されると、それを前記周波数帯域の電波に変調するとともに、予め設定された間欠周期及び出力強度で外部に発信する。
【００２０】
詳しくは、この装置側送信回路１２は、前記装置側マイコン１１により制御され、特定周波数帯（ここではＵＨＦ帯の３１２．１５０ＭＨｚ±０．１２５ＭＨｚ）の周波数で携帯機２０からアンサーバック信号としてのＩＤコードを含む信号を送信させるべく、図２に示すように、前記リクエスト信号を車両１のドア近傍の車室外検知エリアＡ１と車室内検知エリアＡ２とに発信する。尚、装置側送信回路１２は、装置側マイコン１１により制御され、前記車室外検知エリアＡ１と車室内検知エリアＡ２に、携帯機２０の存在を確認すべくＷＡＫＥ信号を所定周期で間欠的に発信するとともに、携帯機側マイコン２１を介して携帯機２０から送信される電波の周波数を設定するための送信周波数設定信号を当該携帯機２０に送信するようにもなっている。
【００２１】
前記受信機１３は、前記特定周波数帯の周波数の電波を受信可能に構成されている。詳しくは、この受信機１３は、所謂スーパーヘテロダイン受信機で構成され、前記装置側マイコン１１から入力される周波数設定信号に基づいて受信周波数が前記特定周波数帯の中心周波数ｆ０＝３１２．１５０ＭＨｚに設定される。そして、受信機１３は、携帯機２０等から到来する前記特定周波数帯内の信号（電波）を受信すると該信号を復調し、装置側マイコン１１に出力する。
【００２２】
詳細には、図３（ａ）に示すように、この受信機１３は、到来するＵＨＦ帯の電波を受信する受信アンテナ２３ａと、該受信アンテナ２３ａで受信した電波に含まれる信号の内、前記特定周波数帯の信号を選択的に通過させるバンドパスフィルタ６１と、該バンドパスフィルタ６１を通過した前記特定周波数帯の信号の内、所定の中心周波数を中心とした一部の周波数帯の信号を減衰させるトラップフィルタ６２とを備えている。
【００２３】
該受信機１３は、さらに、周波数がｆ０＝３１２．１５０ＭＨｚの信号を出力する局部発信回路６７と、前記トラップフィルタ６２を通過した周波数ｆｉの信号に前記局部発信回路６７から出力された信号を周波数混合して中間周波数ｆＩＦ（＝ｆ０−ｆｉ）の信号に変換する混合回路６３と、該中間周波数ｆＩＦの信号を所定レベルに増幅する中間周波増幅回路６４と、該増幅後の信号から信号成分を取り出し、装置側マイコン１１に出力する検波回路６５とを備えている。
【００２４】
尚、前記中間周波増幅回路６４と装置側マイコン１１との間には、信号強度測定手段としてのＲＳＳＩ（Received Signal Strength Indicator：受信信号強度表示）回路６６が検波回路６５に対して並列挿入されており、該ＲＳＳＩ回路６６によって前記検波回路６５から出力される信号成分の強度が受信信号強度（受信した電波に含まれる信号の強度を表示する信号）に変換された後、装置側マイコン１１に出力されるようになっている。
【００２５】
図３（ｂ）に示すように、前記トラップフィルタ６２は、前記バンドパスフィルタ６１の出力側に接続される入力端子６２ｔ１と、前記混合回路６３の入力側に接続される出力端子６２ｔ２と、両端子６２ｔ１，６２ｔ２の間に一端が接続され、他端が接地されたコイル６２ａとコンデンサ６２ｃからなる直列回路とを備えている。また、該コイル６２ａに並列するようにバリキャップ（可変容量ダイオード）６２ｂが配設されており、該バリキャップ６２ｂのカソード側は前記コイル６２ａとコンデンサ６２ｃとの間に接続され、アノード側は接地されている。さらに前記バリキャップ６２ｂのカソード側には、トラップフィルタ６２の中心周波数を調整するべく、トラップフィルタ切替手段としての装置側マイコン１１からトラップフィルタ中心周波数調整電圧Ｖｃが入力される端子６２ｔ３が接続されている。
【００２６】
そして、この端子６２ｔ３を介して、前記装置側マイコン１１から所定のタイミングでトラップフィルタ６２に前記トラップフィルタ中心周波数調整電圧Ｖｃが数段階（ここでは３段階、Ｖｃ＝Ｖｃ１，Ｖｃ２，Ｖｃ３；Ｖｃ１＜Ｖｃ２＜Ｖｃ３）のレベルで出力され、トラップフィルタ６２の中心周波数が前記電圧Ｖｃの各レベルに対応した中心周波数ｆｔ１，ｆｔ２，ｆｔ３に制御設定されるようになっている。
【００２７】
詳しくは、前記装置側マイコン１１のクロック周波数に同期するように、前記端子６２ｔ３にトラップフィルタ中心周波数調整電圧Ｖｃ１，Ｖｃ２，Ｖｃ３が周期的に印加されると、各電圧Ｖｃに応じて前記バリキャップ６２ｂの静電容量が変更される。そして、コイル６２ａ、バリキャップ６２ｂ、及びコンデンサ６２ｃからなるフィルタ回路の周波数特性が変わり、図４に示すように、前記特定周波数帯の範囲内でトラップフィルタ６２の中心周波数がそれぞれｆｔ１，ｆｔ２，ｆｔ３（ここでは、ｆｔ１＝３１２．０９０ＭＨｚ、ｆｔ２＝３１２．１５０ＭＨｚ、ｆｔ３＝３１２．２１０ＭＨｚ）に周期的に変更される。そして、該各中心周波数ｆｔ１，ｆｔ２，ｆｔ３に対応して、前記特定周波数帯の受信周波数特性は、図４の周波数通過帯カーブ４０に対して各中心周波数ｆｔ１，ｆｔ２，ｆｔ３を中心としてその信号レベルを所定帯域幅（ここでは８０ｋＨｚ程度）で減衰させる減衰カーブ４０ａ，４０ｂ，４０ｃを加えたものに周期的に切り替えられる（減衰帯域がスイープされる）。
【００２８】
尚、このトラップフィルタ６２は、前記装置側マイコン１１からトラップフィルタ中心周波数調整電圧Ｖｃが印加されることで作動を開始するようにされており、該電圧Ｖｃが印加されていない場合は、トラップフィルタ６２による減衰帯域は前記周波数通過帯カーブ４０の外側（帯域外）に位置するようになっている。
【００２９】
図１に戻り、前記装置側マイコン１１には、車両１にそれぞれ設けられた、エンジンスイッチ１４、並びに、制御対象となる機器としてのドア錠装置１５及びエンジン制御装置１６が電気的に接続されている。
【００３０】
前記エンジンスイッチ１４は、車室内の運転席の近傍（例えばインストルメントパネルやステアリングコラム等）に配設された押しボタンスイッチ装置等によって構成され、その操作によりスイッチ操作信号が装置側マイコン１１に入力される。
【００３１】
前記ドア錠装置１５は、ドア錠を自動的に施解錠する装置であり、装置側マイコン１１から解錠許可信号が入力されるとドア錠を解錠する一方、施錠許可信号が入力されるとドア錠を施錠する。また、ドア錠装置１５は、ドア錠の施解錠状態を示す施解錠状態信号を装置側マイコン１１に出力する。
【００３２】
前記エンジン制御装置１６は、図示しないセルモータに接続され、装置側マイコン１１からエンジン駆動信号が入力されると同セルモータを駆動してエンジンを始動させるとともに、エンジンの動作状態を示すエンジン状態信号を装置側マイコン１１に出力する。
【００３３】
以上により、装置側マイコン１１は、前記施解錠状態信号やエンジン状態信号に基づいて、ドア錠の施解錠状態やエンジンの動作状態を認識可能になっている。
そして、装置側マイコン１１は、前記リクエスト信号に応答して携帯機２０からＩＤコードを含む信号が送信され、受信機１３で受信されると、該信号に含まれるＩＤコードと前記メモリ１１ａに記憶されたＩＤコードとの照合（車室外照合）を行い、両ＩＤコードが一致したこと（携帯機２０からのＩＤコードが正規のものであること）を条件として車両制御（ドア錠の施解錠操作）を許可する。
【００３４】
詳しくは、図１及び図２を参照して、装置側マイコン１１は、車室外検知エリアＡ１に送信したリクエスト信号に応答する携帯機２０からのＩＤコードを含む信号が受信機１３で受信され、該信号に含まれるＩＤコードが正規のものである場合に、即ち、車室外照合により照合ＯＫ（可）の場合に、前記ドア錠装置１５に解錠許可信号を出力し、ドアハンドル１ｈが操作されたことを条件としてドア錠を解錠させる。一方、装置側マイコン１１は、ドア錠の解錠状態において、ドアハンドル１ｈに設けられた図示しないロックスイッチが操作されると、前記車室外照合を行い、該照合ＯＫの場合に、ドア錠装置１５に施錠許可信号を出力してドア錠を施錠させる。
【００３５】
さらに、装置側マイコン１１は、車室内検知エリアＡ２に送信したリクエスト信号に応答する携帯機２０からのＩＤコードを含む信号が受信機１３で受信され、該信号に含まれるＩＤコードが正規のものである場合に、即ち、車室内照合により照合ＯＫの場合に、エンジン始動許可状態となり、さらに該状態においてブレーキペダルとともにエンジンスイッチ１４が操作され、エンジンスイッチ１４からスイッチ操作信号が入力されると、エンジン制御装置１６にエンジン駆動信号を出力してエンジンを始動させる。即ち、装置側マイコン１１は、このエンジン始動許可状態とならない限り、エンジンスイッチ１４が操作されても車両１のエンジンを始動させないようにしている。
【００３６】
＜携帯機２０の構成と動作＞
図１に示すように、前記携帯機２０は、ＣＰＵ、ＲＯＭ、ＲＡＭ等から構成された携帯機側マイコン（携帯機側マイクロコンピュータ）２１、並びに、該マイコン２１によってそれぞれ制御可能に接続された携帯機側受信手段としての携帯機側受信回路２２及び携帯機側送信手段としてのＶＣＯ（携帯機側送信回路）２３（ＶＣＯ：Voltage Controlled Oscillator；電圧制御発信機）を備えている。さらに、前記携帯機側マイコン２１には、携帯機２０から施錠操作コード及び解錠操作コードを含む施解錠操作信号を送信させるための施解錠スイッチ２４が電気的に接続されている。尚、該マイコン２１は不揮発性のメモリ２１ａを備えており、該メモリ２１ａには、施解錠操作コード、並びに、車両１に固有のリクエストコード及びＩＤコードが記憶されている。
【００３７】
前記携帯機側受信回路２２は、前記装置側送信回路１２から送信されるＷＡＫＥ信号及びリクエスト信号（ＬＦ帯の電波）を受信可能に構成されている。そして、携帯機側受信回路２２は、携帯機２０が車室外検知エリアＡ１又は車室内検知エリアＡ２に進入し、ＷＡＫＥ信号又はリクエスト信号を受信するとそれらをパルス信号に復調して携帯機側マイコン２１に出力する。
【００３８】
前記ＶＣＯ２３は、前記受信機１３が受信可能な特定周波数帯に属する周波数の電波を送信可能に構成されている。即ち、ＶＣＯ２３は、携帯機側マイコン２１により制御され、通信制御装置１０から装置側送信回路１２を介して送信される前記ＷＡＫＥ信号及びリクエスト信号を正常に受信したことを条件としてそれぞれ返信するＡＣＫ信号及び前記ＩＤコードを含む信号、並びに、前記施解錠操作信号を、前記周波数の電波に変調し、それらを車両１に設けられた受信機１３に送信可能となっている。
【００３９】
詳しくは、図５に示すように、このＶＣＯ２３は、所謂コルピッツ形発信回路を構成しており、携帯機側マイコン２１の出力側に接続された入力端子２２ｔ１と、アンテナに接続された出力端子２２ｔ２と、ＬＣ発信回路を構成するとともに、増幅部としてのトランジスタ２２ｄに帰還回路を構成するように並列接続されたバリキャップ（可変容量ダイオード）２２ｂ及びコンデンサ２２ｃが直列したコンデンサ部と、コイル２２ａからなるコイル部とを備えている。そして、バリキャップ２２ｂとコンデンサ２２ｃとの間にはトランジスタ２２ｄのエミッタ端子が接続されている。また、前記入力端子２２ｔ１は、トランジスタ２２ｄのベース端子に接続されており、前記出力端子２２ｔ２は、トランジスタ２２ｄのコレクタ端子に接続されている。そして、前記バリキャップ２２ｂには、送信周波数設定手段としての携帯機側マイコン２１から出力される送信周波数調整電圧が入力端子２２ｔ３から信号ライン２２ｓを介して印加され、該電圧Ｖｃに対応した静電容量の変化に基づき、ＶＣＯ２３の発振周波数が設定されるように構成されている。
【００４０】
図１に戻り、携帯機側マイコン２１は、前記携帯機側受信回路２２を介して車両１の通信制御装置１０からリクエスト信号を受信すると、該信号に含まれるリクエストコードと、前記メモリ２１ａに記憶されたリクエストコードとを照合し、両コードが一致したことを条件として、前記メモリ２１ａに記憶されたＩＤコードを信号に変換し、ＶＣＯ２３に出力する。
【００４１】
また、携帯機側マイコン２１は、施解錠スイッチ２４の操作内容に応じて施解錠信号が入力されると、リクエスト信号の受信有無にかかわらず、前記メモリ２１ａに記憶された施解錠操作コードを施解錠操作信号に変換し、ＩＤコードを含む信号とともにＶＣＯ２３に出力する。
【００４２】
そして、ＶＣＯ２３は、前記携帯機側マイコン２１からＩＤコードを含む信号又は施解錠操作信号が入力されると、該各信号を前記特定周波数帯に属する周波数の電波に変調し、アンテナから車両１に向けて発信する。
【００４３】
＜車両用通信制御システム３０の処理＞
ここで、車両１の周辺環境に携帯機２０と受信機１３との正常な通信を妨害するノイズが存在する場合において、本実施形態の車両用通信制御システム３０によって行われる処理について、ドア錠の施解錠操作を例に、図６に示すフローチャートに従って説明する。
【００４４】
先ず、ステップＳ１１において、通信制御装置１０が受信機１３のＲＳＳＩ回路６６を介して所定強度（閾値）を超える強度の信号を受信したか否かが判断され、受信した場合はステップＳ１２に進む。
【００４５】
このステップＳ１２では、装置側マイコン１１は、前記所定強度を超える強度の信号に付加されたコードが携帯機２０と車両１との間で規定された正規のコード体系（正規コード）であるか否かを判断する。
【００４６】
そして、正規コードが確認されない場合は、ステップＳ１３において、装置側マイコン１１により、前記トラップフィルタ中心周波数調整電圧ＶｃがＶｃ１に設定されて前記バリキャップ６２ｂに印加され、これによりトラップフィルタ６２が作動を開始し、その中心周波数が最初にｆｔ１に設定される。以下、順次一定周期（ここでは１［ｍｓｅｃ］）毎に前記トラップフィルタ中心周波数調整電圧ＶｃがＶｃ１→Ｖｃ２→Ｖｃ３に調整され、中心周波数がｆｔ１→ｆｔ２→ｆｔ３と切り替えられ、トラップフィルタ６２による減衰帯域が前記特定周波数帯内でスイープされる。そして、トラップフィルタ６２の減衰帯域の切り替え毎に前記ＲＳＳＩ回路６６によって前記受信機１３が受信した信号の受信信号強度が測定され、装置側マイコン１１に入力される。
【００４７】
一方、前記ステップＳ１２において、正規コードが確認され、さらに前記車室外照合により照合ＯＫ（可）の場合は、ステップＳ１８において、ドア錠装置１５において、装置側マイコン１１からの施解錠許可信号に応じてドアが解錠又は施錠される。
【００４８】
次に、ステップＳ１４において、装置側マイコン１１によって、前記トラップフィルタ６２の中心周波数ｆｔ１，ｆｔ２，ｆｔ３の内、前記ＲＳＳＩ回路６６による受信信号強度が最小となる中心周波数が特定される。
【００４９】
そして、ステップＳ１５において、装置側マイコン１１は、前記ＲＳＳＩ回路６６による受信信号強度が最小となる中心周波数（ｆｔ１，ｆｔ２，ｆｔ３のいずれか）にトラップフィルタ６２の中心周波数を固定した後、ステップＳ１７に進む。
【００５０】
一方、前記ステップＳ１１において、前記ＲＳＳＩ回路６６を介して所定強度（閾値）を超える強度の信号が受信されなかった場合はステップＳ１６に進み、トラップフィルタ６２による減衰帯域を前記周波数通過帯カーブ４０（図４参照）の外側（帯域外）に位置させた後、ステップＳ１５と同様に、ステップＳ１７に進む。
【００５１】
次のステップＳ１７においては、装置側マイコン１１によって、前記トラップフィルタ６２の中心周波数に基づき、携帯機２０のＶＣＯ２３の送信周波数を当該トラップフィルタ６２による減衰帯域を外れる送信周波数に設定するためのフィルタ周波数情報（送信周波数設定信号）が作成される。そして、該フィルタ周波数情報は、装置側送信回路１２を介してＷＡＫＥ信号に付加され、通信制御装置１０の装置側送信回路１２から図２に示す車室外検知エリアＡ１又は車室内検知エリアＡ２に送信される。このＷＡＫＥ信号が携帯機２０で受信されると、例えば、トラップフィルタ６２の中心周波数ｆｔ３＝３１２．２１０ＭＨｚの場合は、前記フィルタ周波数情報に基づき、携帯機側マイコン２１により前記送信周波数調整電圧が調整され、ＶＣＯ２３の送信周波数が当該トラップフィルタ６２による減衰帯域を外れる３１２．１５０ＭＨｚになるように設定される。
【００５２】
そして、携帯機２０側では、ステップＳ１において、この車室外検知エリアＡ１又は車室内検知エリアＡ２に進入した際に、ＷＡＫＥ信号が受信されると、ＶＣＯ２３を介して車両１にＡＣＫ信号が送信される。ここで、ＡＣＫ信号は、前記フィルタ周波数情報に基づき、トラップフィルタ６２の中心周波数（トラップフィルタ６２による減衰帯域）を外れた周波数で送信される。
【００５３】
このＡＣＫ信号が受信されると、ステップＳ１９において、通信制御装置１０の装置側送信回路１２を介して携帯機２０にリクエスト信号が送信される。
一方、携帯機２０側では、ステップＳ２において、携帯機側受信回路２２を介してリクエスト信号が受信され、携帯機側マイコン２１によって該信号に含まれるリクエストコードと、携帯機側マイコン２１のメモリ２１ａに記憶されたリクエストコードとが照合され、両コードが一致したことを条件として、前記メモリ２１ａに記憶されたＩＤコードを信号に変換し、ＶＣＯ２３に出力する。そして、ＶＣＯ２３は、携帯機側マイコン２１からＩＤコードを含む信号が入力されると、該信号を前記特定周波数帯に属する周波数の電波であるレスポンス信号に変調し、アンテナから車両１に向けて発信する。
【００５４】
そして、ステップＳ２０において、装置側マイコン１１により、前記所定強度を超えた強度を有する信号中に含まれるＩＤコードと携帯機側マイコン２１のメモリ１１ａに記憶されたＩＤコードとの照合が行なわれ、両ＩＤコードが一致したことを条件として、次のステップＳ２１においてドア錠の施解錠操作が許可される。一方、両ＩＤコードが一致しなかった場合は、ここでの処理を一旦終了する。
【００５５】
以上説明したように、本実施形態の受信機１３及び車両用通信制御システム３０によれば、以下のような作用・効果を得ることができる。
（１）本実施形態では、携帯機２０と受信機１３との間の無線通信を妨害するノイズが当該受信機１３により受信される特定周波数帯に存在する場合において、該特定周波数帯内において所定の中心周波数ｆｔ１，ｆｔ２，ｆｔ３を中心とする周波数帯域を減衰させるトラップフィルタ６２を用いる。そして、その中心周波数ｆｔ１，ｆｔ２，ｆｔ３を所定のタイミングで調整することで、トラップフィルタ６２による減衰帯域を周期的に切り替え、これにより当該ノイズの強度が最小になる中心周波数（ｆｔ１，ｆｔ２，ｆｔ３のいずれか）を特定し、当該中心周波数にトラップフィルタ６２の中心周波数を固定する。このため、受信機１３側で回路上の大幅な変更をすることなく、ノイズの強度が選択的且つ自動的に減衰されるようになる。この結果、携帯機２０との無線通信により車両１に設けられたドア錠装置１５やエンジン制御装置１６等の車載機器を制御するための通信制御装置１０側において大幅な変更をすることなく、ノイズによる通信障害を有効に回避して当該車載機器の制御が正常に行われるようになる。
【００５６】
（２）本実施形態では、携帯機２０と受信機１３との間で行われる無線通信に基づいて、車両１に設けられたドア錠装置１５やエンジン制御装置１６等の車載機器を制御する車両用通信制御システム３０において、受信機１３側で大幅な変更をすることなく、ノイズの強度が選択的且つ自動的に減衰され、当該車載機器の制御が正常に行われるようになる。
【００５７】
（３）本実施形態では、トラップフィルタ６２による減衰帯域を外れる送信周波数に設定するための送信周波数設定信号が車両１に設けられた通信制御装置１０から携帯機２０に送信され、携帯機２０側では、その送信周波数設定信号に基づいて設定された送信周波数でＩＤコードを含む信号や施解錠操作信号等の信号が送信される。このため、特定周波数帯に存在するノイズによる通信障害がさらに効果的に回避され、受信機１３側で信号がより確実に受信されるようになる。
【００５８】
尚、上記実施形態は以下のように変形してもよい。
・上記実施形態では、通信制御装置１０内に装置側受信手段としての受信機１３を設けず、通信制御装置１０の外部に設けた受信機１３を介して受信したＩＤコードを含む信号又は施解錠操作信号（信号）に基づいてドア錠装置１５及びエンジン制御装置１６（車載機器）を装置側マイコン１１を用いて制御する構成とした。しかし、本発明の技術的思想はこれに限られず、通信制御装置１０の内部に装置側受信手段としての装置側受信回路を設け、該受信回路で受信した信号に基づき、装置側マイコン１１を用いて車載機器を制御する構成として勿論よい。
【００５９】
・上記実施形態では、通信制御装置１０側でＩＤコードを含む信号や施解錠操作信号の受信の妨げとなるノイズの強度をトラップフィルタ６２の中心周波数ｆｔ１，ｆｔ２，ｆｔ３の切り替え毎にＲＳＳＩ回路６６により測定し、該ノイズの強度が最小となるトラップフィルタ６２の中心周波数（ｆｔ１，ｆｔ２，ｆｔ３のいずれか）を特定する。そして、その特定された中心周波数にトラップフィルタ６２の中心周波数を固定するようにした。しかし、これに限られず、例えば、ＲＳＳＩ回路６６により測定したノイズの強度が予め設定した閾値未満となるトラップフィルタ６２の中心周波数（ｆｔ１，ｆｔ２，ｆｔ３のいずれか）を特定し、その特定された中心周波数にトラップフィルタ６２の中心周波数を固定するように構成してもよい。
【００６０】
・上記実施形態では、トラップフィルタ切替手段としての装置側マイコン１１により、トラップフィルタ６２の中心周波数を順次一定周期（１［ｍｓｅｃ］）のタイミングで３段階に調整し、当該トラップフィルタ６２による減衰帯域を周期的に切り替えるようにした。しかし、これに限られず、トラップフィルタ６２の中心周波数を調整する段階は２段階や４段階以上にしてもよいし、トラップフィルタ６２の中心周波数の調整のタイミングも一定周期でなく、異なる周期であってもよい。
【００６１】
・上記実施形態では、車両用通信制御システム３０を、車両１のドア錠の施解錠制御に適用した例について説明したが、該車両１のエンジンの始動を許可するためのエンジン始動制御にも同様に適用できることは勿論である。
【００６２】
・上記実施形態では、セキュリティの対象物を自動車等の車両１とし、受信機１３、通信制御装置１０、及び携帯機２０から構成される通信制御システム３０を該車両１のドア錠を施解錠したり、エンジンを始動可能な状態とする車両制御を行うための車両用通信制御システムとした。しかし、本発明の技術的思想はこれに限られず、セキュリティの対象物を住宅等の不動産とし、該住宅のドアに設けられたドア錠の施解錠制御に適用することも可能である。
【００６３】
さらに、前記した実施形態および変形例より把握できる技術的思想について以下に記載する。
○前記対象物が自動車等の車両であって、請求項１に記載の受信機と、該受信機に前記車両に設けられた機器を制御するための信号を所定の送信周波数の電波で送信する携帯機と、該携帯機から送信された電波を前記受信機を介して受信し、該受信した電波に含まれる信号に基づいて前記車両に設けられた機器を制御する通信制御装置とを具備することを特徴とする車両用通信制御システム。同構成によれば、ローコスト且つ簡単確実な方法によって、車両の盗難防止等のセキュリティレベルを向上させることができ、車両のユーザの利便性に資するとともにセキュリティ上の信頼性も格段に高められるようになる。
【００６４】
○請求項１に記載の受信機において、前記特定周波数帯の中心周波数は、３００ＭＨｚ以上３ＧＨｚ以下のＵＨＦ（極超短波）帯に属している受信機。同構成によれば、車両の電子キーシステムに好適に利用される周波数帯の電波を利用できるので、電子キーシステムを使用する場合において妨害となり易い環境ノイズの影響が効果的に回避できるようになる。
【図面の簡単な説明】
【００６５】
【図１】本発明の実施形態に係る車両用通信制御システムの概略構成を示す回路ブロック図。
【図２】車両から発信される電波が携帯機により受信される車室外検知エリアＡ１と車室内検知エリアＡ２を示す模式図。
【図３】（ａ）は、本発明の実施形態に係るトラップフィルタを備える受信機の回路図、（ｂ）は、同トラップフィルタの詳細回路図。
【図４】本発明の実施形態に係る受信機の特定周波数帯（ＢＰＦによる通過帯域）内でのトラップフィルタによる減衰帯域を示すグラフ図。
【図５】本発明の実施形態に係るＶＣＯ（携帯機側送信回路）の回路図。
【図６】本発明の実施形態に係る車両用通信制御システムの動作を示すフローチャート図。
【符号の説明】
【００６６】
１…車両、１０…通信制御装置、１３…受信機、２０…携帯機、２３…ＶＣＯ（携帯機側送信回路）、３０…車両用通信制御システム、６２…トラップフィルタ。
【図１】
2009033528.tif 000003
【図２】
2009033528.tif 000004
【図３】
2009033528.tif 000005
【図４】
2009033528.tif 000006
【図５】
2009033528.tif 000007
【図６】
2009033528.tif 000008